(57)【要約】【課題】暖房時における快適性を確保するとともに送風効率及び静音性を向上できる空気調和機を提供する。【解決手段】送風経路６内に回動可能な切替板１５を設け、前方吹出し時には調和空気が切替板１５によって第１開口部５ａに向かって主経路６ａを介して前方に導かれて第１開口部５ａから前方に送出される。下方吹出し時には調和空気が切替板１５によって第２開口部５ａに向かって分岐経路６ｂを介して略鉛直下方に導かれて第２開口部５ａから下方または後方に送出される。【選択図】      図２
2004308930.tif 000002
【特許請求の範囲】
【請求項１】
筐体内に設けた送風経路を通る調和空気を吹出口から送出する空気調和機において、前方下方に調和空気を送出できる第１開口部と、第１開口部よりも後方に配されて下方に調和空気を送出する第２開口部とを前記吹出口に設け、第１、第２開口部から択一的に調和空気を送出することを特徴とする空気調和機。
【請求項２】
前記送風経路は、第１開口部に調和空気を導く主経路と、第２開口部に調和空気を導く分岐経路とを有することを特徴とする請求項１に記載の空気調和機。
【請求項３】
前記送風経路は、第１開口部に向かって前方に調和空気を導く主経路と、第２開口部に向かって略鉛直下方に調和空気を導く分岐経路とを有することを特徴とする請求項１に記載の空気調和機。
【請求項４】
調和空気の流通経路を前記主経路と前記分岐経路とに切り替える切替板を設けたことを特徴とする請求項２または請求項３に記載の空気調和機。
【請求項５】
第２開口部から鉛直下方よりも後方へ調和空気を送出できることを特徴とする請求項１〜請求項４のいずれかに記載の空気調和機。
【請求項６】
前後方向の風向を可変する下方風向板を第２開口部に設け、第１開口部から前方に調和空気を送出する際に前記下方風向板によって第２開口部を遮蔽できることを特徴とする請求項５に記載の空気調和機。
【請求項７】
上下方向の風向を可変する前方風向板を第１開口部に設け、第２開口部から下方に調和空気を送出する際に前記前方風向板によって第１開口部を遮蔽できることを特徴とする請求項１〜請求項６のいずれかに記載の空気調和機。
【請求項８】
前記筐体内に取り入れた空気の温度を検知する温度検知手段を設けたことを特徴とする請求項１〜請求項７のいずれかに記載の空気調和機。
【発明の詳細な説明】
【０００１】
【発明の属する技術分野】
本発明は、取り込まれた空気を調和して室内に送出する空気調和機に関する。
【０００２】
【従来の技術】
図１５は、特願２００２−２６６４３７号に示される従来の空気調和機の室内機を示す概略側面断面図である。空気調和機の室内機１は通常、使用者の身長よりも高い位置に配置されており、キャビネット２により本体部が保持されている。キャビネット２は後方側面に爪部（不図示）が設けられ、室内の側壁Ｗ１に取り付けられた取付板（不図示）に該爪部を係合することにより支持される。
【０００３】
キャビネット２には上面側と前面側に吸込口４が設けられたフロントパネル３が着脱自在に取り付けられている。フロントパネル３の下端部とキャビネット２の下端部との間隙には、室内機１の幅方向に延びる略矩形の吹出口５が形成されている。
【０００４】
室内機１の内部には、吸込口４から吹出口５に連通する送風経路６が形成されている。送風経路６内には空気を送出する送風ファン７が配されている。フロントパネル３に対向する位置には、吸込口４から吸い込まれた空気に含まれる塵埃を捕集・除去するエアフィルタ８が設けられている。送風経路６中の送風ファン７とエアフィルタ８との間には、室内熱交換器９が配置されている。
【０００５】
室内熱交換器９は屋外に配される圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。
【０００６】
室内熱交換器９とエアフィルタ８との間にはキャビネット２内に取り込まれた空気の温度を検知する温度センサ６１が設けられている。温度センサ６１は吸込口４から吸引された空気の温度を検知し、使用者により設定された目標の室温（以下、「設定温度」という）との差に応じて冷凍サイクルの運転周波数および送風ファン７の送風量が制御されるようになっている。
【０００７】
室内熱交換機９の前後の下部には冷房または除湿時に室内熱交換器９から落下した結露を補集するドレンパン１０が設けられている。前方のドレンパン１０はフロントパネル３に取り付けられ、後方のドレンパン１０はキャビネット２と一体に成形されている。
【０００８】
送風経路６内の吹出口５の近傍には、外部に臨んで上下方向の吹出角度を略水平乃至下方向に変更可能な横ルーバ１１ａ、１１ｂが設けられている。横ルーバ１１ａ、１１ｂの奥側には左右方向の吹出角度を変更可能な縦ルーバ１２が設けられている。
【０００９】
上記構成の空気調和機において、空気調和機の暖房を開始すると、送風ファン７が回転駆動され、室外機（不図示）からの冷媒が室内熱交換器９へ流れて冷凍サイクルが運転される。これにより、室内機１内には吸込口４から空気が吸い込まれ、エアフィルタ８によって空気中に含まれる塵埃が除去される。
【００１０】
室内機１内に取り込まれた空気は室内熱交換器９と熱交換して加熱される。そして、送風経路６を通って縦ルーバ１２及び横ルーバ１１ａ、１１ｂによって左右方向及び上下方向の向きが規制され、吹出口５から矢印Ａに示すように前方下方に向けて調和空気が室内に送出される。
【００１１】
室内の温度と設定温度との差が所定温度よりも大きい場合等には、図１６に示すように横ルーバー１１ａ、１１ｂにより風向が略真下方向に向けられる。これにより、吹出口５から矢印Ｂ１に示すように略真下方向に調和空気が送出され、居室内の床面に到達して床面に沿って床面全体に広がる。
【００１２】
また、暖気は比重が小さいため、吹出口５から送出された気流の一部は矢印Ｂ３に示すように巻き上げられて上昇する。その結果、ショートサーキットによる暖房能力低下や、居室内の上部が暖められて下部が充分暖められない問題が生じる。このため、特願２００３−００５３３７８号には、図１７に示すように吹出口５から後方に向けて調和空気を送出できる空気調和機が示されている。
【００１３】
これにより、吹出口５から矢印Ｃに示すように後方下方へ送出される空気はコアンダ効果によって側壁Ｗ１に伝って床面に到達する。従って、下方に送出された暖気の上昇を防止して暖房効率及び快適性を向上できるようになっている。
【００１４】
【発明が解決しようとする課題】
しかしながら、上記従来の空気調和機によると、送風経路６を流通して真下或いは後方に送出される空気は横ルーバ１１ａ、１１ｂによって風向が大きく変更される。このため、曲がり損失による圧力損失が増加して送風効率低下による風量低下及び騒音増大が生じる問題があった。特に、吹出口５から後方に調和空気を送出する際には曲がり損失が著しく増加するため、風量低下及び騒音増大が大きくなっていた。
【００１５】
本発明は、上記の問題点に鑑みてなされたものであり、暖房時における快適性を確保するとともに送風効率及び静音性を向上できる空気調和機を提供することを目的とする。
【００１６】
【課題を解決するための手段】
上記目的を達成するために本発明は、筐体内に設けた送風経路を通る調和空気を吹出口から送出する空気調和機において、前方下方に調和空気を送出できる第１開口部と、第１開口部よりも後方に配されて下方に調和空気を送出する第２開口部とを前記吹出口に設け、第１、第２開口部から択一的に調和空気を送出することを特徴としている。
【００１７】
この構成によると、第１開口部から水平方向と鉛直下方との間の前方下方に向けて調和空気が送出される。送出方向を切り替えると第２開口部から下方に向けて調和空気が送出される。この時、第１開口部よりも後方に配される第２開口部が壁面に接近した位置で開口するため第２開口部から送出される調和空気はコアンダ効果により壁面に沿って流通する。
【００１８】
また、本発明は上記構成の空気調和機において、前記送風経路は、第１開口部に調和空気を導く主経路と、第２開口部に調和空気を導く分岐経路とを有することを特徴としている。この構成によると、主経路を流通する調和空気が第１開口部から前方下方に向けて送出され、分岐経路を流通する調和空気が第２開口部から下方に向けて送出される。主経路は前方に向けて調和空気を導き、分岐経路は略鉛直下方に向けて調和空気を導くことにより送出される調和空気の圧力損失を低減できる。
【００１９】
また、本発明は上記構成の空気調和機において、調和空気の流通経路を前記主経路と前記分岐経路とに択一的に切り替える切替板を設けたことを特徴としている。この構成によると、前方吹出し時には切替板によって第１開口部に向けて前方に空気が流通するように送風経路が切り替えられ、調和空気は送風経路を通って第１開口部から前方に向けて送出される。下方吹出し時には、切替板によって第２開口部に向けて空気が流通するように送風経路が切り替えられ、調和空気は送風経路を通って第２開口部から下方に向けて送出することができる。
【００２０】
尚、室内機から後方とは室内機が設置される壁面またはコーナーに向かう方向を指しており、前方とは室内機が設置される壁面またはコーナーとは反対に向かう方向を指している。また、室内機の上面とは室内機１が設置される居室の天井側の面を指し、室内機の下面とは室内機が設置される居室の床側の面を指す。更に、鉛直上方成分を含む方向を上方、鉛直下方成分を含む方向を下方という。
【００２１】
第２開口部に設けた下方風向板等によって、下吹出し時に第２開口部から調和空気を鉛直下方よりも後方へ吹き出すことができるようにすると、調和空気を壁面に沿って遠くまで流通させることができる。第１開口部に配された前方風向板や第２開口部に配された下方風向板によって第１、第２開口部を遮蔽できるようにすると、部品点数を削減することができる。また、吸気温度を検知する温度検知手段を設けると温度検知手段の検知結果に基づいて前方吹出しと下方吹出しとを切り替えることができる。
【００２２】
【発明の実施の形態】
以下に本発明の実施形態を図面を参照して説明する。説明の便宜上、従来例の図１５〜図１７と同一の部分については同一の符号を付している。図１は第１実施形態の空気調和機を示す概略側面断面図である（後述する図３のＤ断面を示している）。空気調和機の室内機１は、キャビネット２により本体部が保持されており、キャビネット２には上面側と前面側に吸込口４が設けられたフロントパネル３が着脱自在に取り付けられている。
【００２３】
キャビネット２は後方側面に爪部（不図示）が設けられ、居室の側壁Ｗ１に取り付けられた取付板（不図示）に該爪部を係合することにより支持される。フロントパネル３の下端部とキャビネット２の下端部との間隙には、第１、第２開口部５ａ、５ｂから成る吹出口５が設けられている。第１、第２開口部５ａ、５ｂは室内機１の幅方向に延びる略矩形に形成されている。第１開口部５ａは、前方下方に臨んで設けられている。第２開口部５ｂは第１開口部５ａよりも後方のキャビネット２の下面に下方に臨んで配されている。
【００２４】
室内機１の内部には、吸込口４から吹出口５に連通する送風経路６が形成されている。送風経路６内には空気を送出する送風ファン７が配されている。送風ファン７として、例えば、クロスフローファン等を用いることができる。送風経路６は第１開口部５ａに向かって前方に空気を導く主経路６ａと第２開口部５ｂに向かって略鉛直下方に空気を導く分岐経路６ｂとを有している。
【００２５】
送風経路６内の第１開口部５ａの近傍には、外部に臨んで上下方向の吹出角度を略水平乃至下方向に変更可能な横ルーバ（前方風向板）１１ａ、１１ｂが設けられている。分岐経路６ｂの内側端部には、回動軸１５ａでキャビネット２に枢支される切替板１５が設けられている。
【００２６】
切替板１５により分岐経路６ｂを遮蔽すると、切替板１５が送風経路６の内壁面を形成して第１開口部５ａに気流を案内する。これにより、送風経路６を流通する空気の通風抵抗の増加を防止するようになっている。また、切替板１５により分岐経路６ｂを開放すると、送風経路６を流通する気流は分岐経路６ｂに滑らかに導かれる。尚、切替板１５には結露防止のための断熱処理が施されている。
【００２７】
また、切替板１５の片面には左右方向の吹出角度を変更可能な縦ルーバ１２ａが設けられている。縦ルーバ１２ａは、切替板１５の開閉に伴い送風経路６内を回動軸１５ａを中心に回動するため、回動の際に送風経路６の壁面と干渉しない構成になっている。
【００２８】
フロントパネル３に対向する位置には、吸込口４から吸い込まれた空気に含まれる塵埃を捕集・除去するエアフィルタ８が設けられている。送風経路６中の送風ファン７とエアフィルタ８との間には、室内熱交換器９が配置されている。室内熱交換器９は屋外に配される圧縮機（不図示）に接続されており、圧縮機の駆動により冷凍サイクルが運転される。
【００２９】
冷凍サイクルの運転によって冷房時には室内熱交換器９が周囲温度よりも低温に冷却される。また、暖房時には、室内熱交換器９が周囲温度よりも高温に加熱される。尚、室内熱交換器９とエアフィルタ８との間には吸い込まれた空気の温度を検知する温度センサ６１が設けられ、室内機１の側部には空気調和機の駆動を制御する制御部（不図示）が設けられている。室内熱交換機９の前後の下部には冷房または除湿時に室内熱交換器９から落下した結露を補集するドレンパン１０が設けられている。
【００３０】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４から空気が吸い込まれ、エアフィルタ８によって空気中に含まれる塵埃が除去される。
【００３１】
室内機１内に取り込まれた空気は室内熱交換器９と熱交換し、冷却または加熱される。送風経路６は切替板１５によって分岐経路６ｂが閉じられ、調和空気が主経路６ｂを通って第１開口部５ａに導かれる。調和空気は縦ルーバ１２ａ及び横ルーバ１１ａ、１１ｂによって左右方向および上下方向に向きを規制され、矢印Ａに示すように前方下方に向けて室内に送出される。これにより、室内機１は前方下方に調和空気を送出する前方吹出しの状態になる。
【００３２】
また、空気調和機の運転の開始直後は速やかに室内の空気を循環させる必要がある。このため、送風ファン７の回転速度を高くして室内熱交換器９で熱交換された空気は吹出口５から勢いよく送出される。これにより、調和空気は第１開口部５ａ（図１参照）から前方下方に例えば風速約６〜７ｍ／秒で矢印Ａに示すように送出され、居室内を循環する。
【００３３】
暖房運転を開始して一定の時間が経過した場合や、吸込口４より取込んだ空気の温度と設定温度との差が所定温度よりも大きい場合には、図２に示すように下方吹出しに切り替えられる。下方吹出しでは、切替板１５が矢印Ｊ方向に回動して主経路６ａが閉じられるとともに分岐経路６ｂが開放される。
【００３４】
これにより、吸込口４から取込まれた空気は分岐経路６ｂを流通して第２開口部から矢印Ｃに示すように鉛直下方を含む下方に例えば風速約５〜６ｍ／秒で送出される。第２開口部５ｂは第１開口部５ａよりも後方のキャビネット２の下面に設けられているため、送出される調和空気と側壁Ｗ１との距離が従来（図１６参照）よりも近くなっている。
【００３５】
このため、第２開口部５ｂから送出される調和空気はコアンダ効果によって側壁Ｗ１に沿って流通する。また、横ルーバ１１ａ、１１ｂによって第１開口部５ａが遮蔽され、第１開口部５ａから調和空気が送出されていないことが使用者により視認可能になる。
【００３６】
図３はこの時の居室Ｒ内の気流の挙動を示している。調和空気は側壁Ｗ１に沿って下降して矢印Ｃに示すように床面Ｆ、側壁Ｗ１に対向する側壁Ｗ２、天井壁Ｓを順次伝って吸込口４に戻る。これにより、送出された暖気の巻き上がりを防止してショートサーキットによる暖房効率の低下を防止できるとともに、居室Ｒの下部を充分暖めて快適性を向上させることができる。
【００３７】
図４は下方吹出し時の送風ファン７の回転数と風量の関係を示している。縦軸は風量（単位：ｍ３／ｍｉｎ）を示し、横軸は送風ファン７の回転数（単位：ｒｐｍ）を示している。また、図中、Ｋ１は本実施形態を表わしており、Ｋ２、Ｋ３はそれぞれ前述の図１６、図１７に示す従来の空気調和機の場合を表わしている。
【００３８】
同図によると、下方吹出し時に切替板１５によって送風経路６を流通する調和空気は略鉛直下方に導かれて第２開口部５ｂから下方に滑らかに送出されるため、曲がり損失が小さく圧力損失が低い。このため、従来例の下方吹出し（図１６参照）或いは後方吹出し（図１７参照）よりも風量が増加しており、送風効率を向上させることができる。
【００３９】
また、図５は下方吹出し時の送風ファン７の風量と騒音との関係を示している。縦軸は騒音（単位：ｄＢ）を示し、横軸は風量（単位：ｍ３／ｍｉｎ）を示している。また、上記と同様に、図中、Ｋ１は本実施形態を表わしており、Ｋ２、Ｋ３はそれぞれ前述の図１６、図１７に示す従来の空気調和機の場合を表わしている。
【００４０】
同図によると、本実施形態は曲がり損失が小さく圧力損失が低いため、従来例の下方吹出し（図１６参照）或いは後方吹出し（図１７参照）よりも同じ風量の時に騒音が小さくなり、静音性を向上させることができる。
【００４１】
吸込口４より取込んだ空気の温度と設定温度との温度差が小さくなったことを温度センサ６１により検知すると、送風ファン７の調整により徐々に送風量が低下される。送風量が低下しても、室内機１から下方に送出された調和空気（暖気）はコアンダ効果により巻き上がらずに側壁Ｗ１に沿って下降し続け、居住空間に直接降り注がずに床面Ｆを伝って足元に到達する。従って、使用者に直接風が当たることによる不快感もなく快適性が向上する。
【００４２】
更に、使用者に直接風が当たることによる不快感がなく、同時に静音化が確保されているため、吸込口４より取込んだ空気の温度と設定温度との温度差が小さくなっても風量を低下させる必要がない。従って、常に大風量の調和空気を居室Ｒ内に供給し続けることができる。
【００４３】
尚、切替板１５の切り替えを使用者によるリモートコントローラ（不図示）の操作によって行えるようになっている。これにより、第１開口部５ａから送風する前方吹出しと第２開口部５ｂからの送風する下方吹出しとを使用者により任意に選択することができる。
【００４４】
次に、図６は第２実施形態の空気調和機の室内機１を示す概略側面断面図である。前述の図１、図２に示す第１実施形態と同様の部分には同一の符号を付している。本実施形態の空気調和機の室内機１は、第１実施形態と以下の点で相違する。
【００４５】
第２開口部５ｂには前後方向の風向を可変する横ルーバ（下方風向板）１４が回動軸１４ａにより枢支されている。切替板１５には両面に左右方向の風向を可変する縦ルーバ１２ａ、１２ｂが設けられている。縦ルーバ１２ａ、１２ｂは同軸に結合されており、切替板１５の回動の際に送風経路６の壁面と干渉しない構成になっている。その他の部分は第１実施形態と同一である。
【００４６】
上記と同様に、空気調和機の運転を開始すると、居室Ｒ内の空気が吸込口４から室内機１に吸い込まれる。室内機１内に取り込まれた空気は室内熱交換器９と熱交換し、冷却または加熱される。送風経路６は切替板１５によって分岐経路６ｂが閉じられ、調和空気が主経路６ｂを通って第１開口部５ａに導かれる。
【００４７】
調和空気は縦ルーバ１２ａ及び横ルーバ１１ａ、１１ｂによって左右方向および上下方向の向きを規制され、矢印Ａに示すように前方下方に向けて室内に送出される。これにより、室内機１は前方に調和空気を送出する前方吹出しの状態になる。また、横ルーバ１４によって第２開口部５ｂが遮蔽され、第２開口部５ｂから調和空気が送出されていないことが使用者により視認可能になっている。
【００４８】
暖房運転を開始して一定の時間が経過した場合や、吸込口４より取込んだ空気の温度と設定温度との差が所定温度よりも大きい場合には、図７に示すように下方吹出しに切り替えられる。下方吹出しでは、切替板１５が矢印Ｊ方向に回動して主経路６ａが閉じられるとともに分岐経路６ｂが開放される。
【００４９】
これにより、吸込口４から取込まれた空気は分岐経路６ｂを流通して縦ルーバ１２ｂ及び横ルーバ１４によって左右方向及び前後方向の向きを規制される。そして、第２開口部から矢印Ｃに示すように後方の側壁Ｗ１に向けて例えば風速約５〜６ｍ／秒で送出される。第２開口部５ｂから送出される調和空気はコアンダ効果によって側壁Ｗ１に沿って流通する。
【００５０】
また、横ルーバ１１ａ、１１ｂによって第１開口部５ａが遮蔽され、第１開口部５ａから調和空気が送出されていないことが使用者により視認可能になる。尚、使用者によるリモートコントローラの操作によって、縦ルーバ１２ｂおよび横ルーバ１４の向きを可変できるようになっている。
【００５１】
本実施形態によると、第１実施形態の空気調和機と同様に、下方吹出し時に切替板１５によって第２開口部５ｂに向かって略鉛直下方に調和空気が導かれるので圧力損失を低減することができる。従って、前述の図４、図５に示す第１実施形態（Ｋ１）と同様の風量及び騒音レベルを得ることができ、送風効率の低下防止及び静音化を図ることができる。
【００５２】
尚、前方下方へ調和空気を送出する第１開口部５ａよりも第２開口部５ｂが後方に配置されているため、横ルーバ１４の向きを後方に大きく向けなくても下方に送出された調和空気を壁面Ｗ１に沿って流通させることができる。これにより、風量及び騒音レベルの増加が抑制されている。
【００５３】
また、縦ルーバ１２ｂおよび横ルーバ１４の向きを可変することにより第２開口部から送出する調和空気の風向を可変することができる。このため、使用者の様々な要望に対応可能となる。加えて、横ルーバ１４によって第２開口部５ｂから後方下方へ調和空気を送出できるため、側壁Ｗ１を伝う調和空気の到達距離を増加させることができる。従って、より大風量の暖気を床面Ｆに導くことができる。
【００５４】
次に、図８は第３実施形態の空気調和機の室内機を示す断面図である。説明の便宜上、前述の図６、図７に示す第２実施形態と同様の部分には同一の符号を付している。本実施形態は、第２実施形態の切替板１５（図６参照）が省かれている。縦ルーバ１２ａ、１２ｂ（図６参照）はキャビネット２及びフロントパネル３に取付けられており図中の記載を省略している。
【００５５】
前方吹出し時には横ルーバ１４により第２開口部５ｂが閉じられ、主経路６ａを通る調和空気は第１開口部５ａから送出される。この時、分岐経路６ｂに進入した空気により渦２５が発生し、渦２５が空気の流通経路の壁面となる。これにより、調和空気がスムーズに前方の第１開口部５ａへ導かれ、圧力損失を増加させることなく前方下方に調和空気を送出することができる。
【００５６】
下方吹出し時には図９に示すように、横ルーバ１１ａ、１１ｂにより第１開口部５ａが閉じられ、分岐経路６ｂを通る調和空気は第２開口部５ｂから送出される。この時、主経路６ａに進入した空気により渦２６が発生し、渦２６が空気の流通経路の壁面となる。これにより、調和空気がスムーズに下方の第２開口部５ｂへ導かれ、圧力損失を増加させることなく下方に調和空気を送出することができる。
【００５７】
次に、図１０は第４実施形態の空気調和機の室内機を示す断面図である。説明の便宜上、前述の図１、図２に示す第１実施形態と同様の部分には同一の符号を付している。本実施形態の室内機２１は、図１４に示すように居室Ｒの隣接する２側壁Ｗ３、Ｗ４が交差したコーナーＬの天井壁Ｓに接する位置に取り付けられた、所謂コーナーエアコンになっている。図１０は図１４における一点鎖線Ｅで切断した断面を示している。
【００５８】
図１０において、室内機２１のキャビネット２の側壁Ｗ３、Ｗ４（図１４参照）に接する面には爪部（不図示）が設けられており、側壁Ｗ３、Ｗ４に取り付けられた取付板（不図示）に該爪部を嵌合することにより支持される。キャビネット２の前面側には断面円弧状のフロントパネル３が設けられ、フロントパネル３には吸込口４が設けられている。フロントパネル３の下端とキャビネット２の下端との間には第１、第２開口部５ａ、５ｂから成る吹出口５が形成されている。
【００５９】
室内機２１の内部には、吸込口４から吹出口５に連通する送風経路６が形成されている。送風経路６内のキャビネット２の前方には空気を送出する送風ファン７が配されている。送風ファン７として、例えばクロスフローファン、シロッコファン、ターボファン等を用いることができる。
【００６０】
送風経路６は第１開口部５ａに向かって前方に空気を導く主経路６ａと第２開口部５ｂに向かって下方に空気を導く分岐経路６ｂとを有している。送風経路６内の第１開口部５ａの近傍には、外部に臨んで上下方向の吹出角度を略水平乃至下方向に変更可能な横ルーバ（前方風向板）１１が設けられている。第２開口部５ａの近傍には、回動可能な切替板１５が設けられている。尚、左右方向の風向を可変する縦ルーバ１２ａ（図１参照）の記載を省略している。
【００６１】
上記構成の室内機２１において、前方吹出し時には図１１に示すように、切替板１５が分岐経路６ｂを遮蔽するように配置され、送風経路６を流通する調和空気は切替板１５に沿って主経路６ａを通って前方に導かれ、横ルーバ１１で風向を可変して第１開口部５ａから矢印Ａに示すように前方に送出される。
【００６２】
下方吹出し時には、図１２に示すように切替板１５によって主経路６ａが遮蔽されるとともに横ルーバ１１によって第１開口部５ａが遮蔽される。送風経路６を流通する調和空気は切替板１５に沿って分岐経路６ｂを通って略鉛直下方に導かれ、第２開口部５ｂから矢印Ｃに示すように下方に送出される。
【００６３】
これにより、図１４に示すように、調和空気はコーナーＬ及び側壁Ｗ３、Ｗ４に沿って下降し、矢印Ｃに示すように床面Ｆ、側壁Ｗ３、Ｗ４に対向する側壁Ｗ５、Ｗ６、天井壁Ｓを順次伝って吸込口４に戻る。これにより暖気が居室Ｒ内を循環して暖房運転が行われる。
【００６４】
また、下方吹出し時に図１３に示すように、横ルーバ１１によって第１開口部５ａを遮蔽し、切替板１５によって第２開口部５ｂから送出される調和空気の向きを可変してもよい。この時、送風経路６を流通して主経路６ａに侵入した空気により発生する渦２７によって調和空気が分岐経路６ｂを通って略鉛直下方に導かれる。
【００６５】
そして、切替板１５で風向を可変して第２開口部５ｂから矢印Ｃに示すように後方下方に送出される。これにより、渦２７の発生によって図１２の場合に比して送風効率が若干低下するが、風向を自在に調節して調和空気を壁面Ｗ１に確実に沿わせることができる。
【００６６】
本実施形態によると、第１、第２実施形態と同様に、切替板１５によって第２開口部５ｂに向かって略鉛直下方に調和空気が導かれるので圧力損失を低減することができる。従って、前述の図４、図５に示す第１実施形態（Ｋ１）と同様の風量及び騒音レベルを得ることができ、送風効率の低下防止及び静音化を図ることができる。
【００６７】
尚、第２実施形態と同様に、切替板１５に加えて第２開口部５ｂに風向を可変する横ルーバを設けると、渦２７を発生させることなくコーナーＬに向けて後方へ送出された調和空気をより遠くまでコーナーＬに沿って流通させることができる。
【００６８】
以上により、本発明に係る空気調和機を第１〜第４実施形態により説明したが、本発明は上記実施形態に限定される訳ではなく、本発明の趣旨を逸脱しない範囲で適宜の変更を加えて実施することができる。
【００６９】
【発明の効果】
本発明によると、前方下方に調和空気を送出する第１開口部よりも後方に設けた第２開口部により下方に調和空気を送出するので、空気調和機を取り付ける壁面と第２開口部との距離を接近させることができる。これにより、第２開口部から調和空気を下方に送出して圧力損失や騒音の増加を抑制して容易に壁面に沿って流通させることができる。従って、送出された暖気の巻き上がりを防止してショートサーキットによる暖房効率の低下を防止できるとともに、居室Ｒの下部を充分暖めて快適性を向上させることができる。
【００７０】
また本発明によると、送風経路を流通する調和空気を第１開口部に向かう前方に導く主経路と第２開口部に向かう略鉛直下方に導く分岐経路とを設けたので、前方吹出し及び下方吹出し時の圧力損失及び騒音の増加を更に低減することができる。
【００７１】
また本発明によると、調和空気の流通経路を主経路と分岐経路とに切り替える切替板を設けたので、切替板により流通経路の壁面を構成してスムーズに第１、第２開口部に調和空気を導くことができる。
【００７２】
また本発明によると、下吹出し時に第２開口部から調和空気を鉛直下方よりも後方へ吹き出すことができるので、壁面やコーナーを伝う調和空気の到達距離を増加させることができる。従って、より大風量の暖気を床面に導くことができる。
【００７３】
また本発明によると、風向を可変する下方風向板によって前方吹出し時に第２開口部を遮蔽できるので、前方吹出し状態を容易に視認できるとともに第２開口部を遮蔽する部材を設ける必要がなく部品点数を削減することができる。
【００７４】
また本発明によると、風向を可変する前方風向板によって下方吹出し時に第１開口部を遮蔽できるので、下方吹出し状態を容易に視認できるとともに第１開口部を遮蔽する部材を設ける必要がなく部品点数を削減することができる。
【００７５】
また本発明によると、筐体内に取り入れた空気の温度を検知する温度検知手段を設けたので、温度検知手段の検知結果に基づいて前方吹出しと下方吹出しとを容易に切り替えることができる。
【図面の簡単な説明】
【図１】は、本発明の第１実施形態の空気調和機の室内機の前方吹出しの状態を示す側面断面図である。
【図２】は、本発明の第１実施形態の空気調和機の室内機の下方吹出しの状態を示す側面断面図である。
【図３】は、本発明の第１実施形態の空気調和機による居室内の気流の挙動を示す透視斜視図である。
【図４】は、本発明の第１実施形態の空気調和機の室内機の送風ファンの回転数と風量の関係を示す図である。
【図５】は、本発明の第１実施形態の空気調和機の室内機の送風ファンの風量と騒音の関係を示す図である。
【図６】は、本発明の第２実施形態の空気調和機の室内機の前方吹出しの状態を示す側面断面図である。
【図７】は、本発明の第２実施形態の空気調和機の室内機の下方吹出しの状態を示す側面断面図である。
【図８】は、本発明の第３実施形態の空気調和機の室内機の前方吹出しの状態を示す側面断面図である。
【図９】は、本発明の第３実施形態の空気調和機の室内機の下方吹出しの状態を示す側面断面図である。
【図１０】は、本発明の第４実施形態の空気調和機の室内機を示す側面断面図である。
【図１１】は、本発明の第４実施形態の空気調和機の室内機の前方吹出しの状態を示す側面断面図である。
【図１２】は、本発明の第４実施形態の空気調和機の室内機の下方吹出しの状態を示す側面断面図である。
【図１３】は、本発明の第４実施形態の空気調和機の室内機の下方吹出しの他の態様を示す側面断面図である。
【図１４】は、本発明の第４実施形態の空気調和機による居室内の気流の挙動を示す透視斜視図である。
【図１５】は、従来の空気調和機の室内機の前方吹出しの状態を示す側面断面図である。
【図１６】は、従来の空気調和機の室内機の下方吹出しの状態を示す側面断面図である。
【図１７】は、他の従来の空気調和機の室内機の後方吹出しの状態を示す側面断面図である。
【符号の説明】
１、２１  室内機
２    キャビネット
３    フロントパネル
４    吸込口
５    吹出口
５ａ  第１開口部
５ｂ  第２開口部
６    送風経路
６ａ  主経路
６ｂ  分岐経路
７    送風ファン
８    エアフィルタ
９    室内熱交換器
１０    ドレンパン
１１、１１ａ、１１ｂ、１４  横ルーバ
１２、１２ａ、１２ｂ  縦ルーバ
１５    切替板
２５、２６、２７  渦
６１    温度センサ
【図１】
2004308930.tif 000003
【図２】
2004308930.tif 000004
【図３】
2004308930.tif 000005
【図４】
2004308930.tif 000006
【図５】
2004308930.tif 000007
【図６】
2004308930.tif 000008
【図７】
2004308930.tif 000009
【図８】
2004308930.tif 000010
【図９】
2004308930.tif 000011
【図１０】
2004308930.tif 000012
【図１１】
2004308930.tif 000013
【図１２】
2004308930.tif 000014
【図１３】
2004308930.tif 000015
【図１４】
2004308930.tif 000016
【図１５】
2004308930.tif 000017
【図１６】
2004308930.tif 000018
【図１７】
2004308930.tif 000019